(57)【要約】【課題】容易に撮影を繰り返し実行する。【解決手段】セルフタイマボタン３４が押圧操作された後に取り直しボタン３０が押圧操作された状態で、レリーズスイッチ２０が押圧操作されてセルフタイマ撮影が行われた後に、セルフタイマ撮影を再度実行するための動作音を示す音声データがマイク４０を介して入力されると、再度セルフタイマ撮影を行うことができる。従って、容易に撮影を繰り返し実行することができる。【選択図】        図３
2004153741.tif 000002
【特許請求の範囲】
【請求項１】
所定時間経過後に撮影を実行する指示入力を行うための撮影指示手段と、
音声データを取り込む音声取込手段と、
前記撮影指示手段による指示入力によってなされた撮影の後でかつに、予め定めた音声データを前記音声取込手段が取り込んだときに、前記撮影指示手段における指示入力を再度行うように制御する制御手段と、
を備えることを特徴とする撮像装置。
【請求項２】
前記制御手段は、前記音声取込手段が取り込んだ音声データと予め記憶した前記指示入力を再度行うための音声データとを比較する比較手段を備え、前記音声取込手段が取り込んだ音声データと予め記憶した前記指示入力を再度行なうための音声データとが同一である場合に、前記指示入力を再度実行することを特徴とする請求項１に記載の撮像装置。
【請求項３】
前記指示入力を再度行うための音声データを録音する録音手段を更に備えることを特徴とする請求項１または請求項２に記載の撮像装置。
【請求項４】
前記制御手段は、前記撮影指示手段による指示入力によってなされた撮影後に予め定めた音声データを検出する検出手段を更に備え、所定時間内に前記検出手段により検出されたときに、前記指示入力を再度実行することを特徴とする請求項１乃至請求項３の何れか１項に記載の撮像装置。
【発明の詳細な説明】
【０００１】
【発明の属する技術分野】
本発明は、撮像装置に係り、特にデジタルカメラ等の撮像装置に関する。
【０００２】
【従来の技術】
従来、撮像装置、特にデジタルカメラでは、撮影によって撮影画像の画像データを得ることが行われている。このデジタルカメラには、撮影指示の入力直後に撮影を行う通常の撮影機能の他に、撮影者自らが被写体となることができるように、撮影指示の入力から所定時間経過後に撮影を行うセルフタイマ撮影機能を設けたものもある。このようなデジタルカメラにおいて、セルフタイマ撮影機能を利用した撮影（以下、セルフタイマ撮影という）を行うと、デジタルカメラは、撮影指示の入力から所定時間経過後、１回の撮影を行う。また、このようなセルフタイマ撮影において、１回の撮影指示の後に実行されるセルフタイマ撮影の回数を、ユーザが任意に設定する技術が知られている（例えば、特許文献１参照）。
【０００３】
この技術によれば、撮影者は、セルフタイマ撮影を設定した回数実行することができる。
【０００４】
【特許文献１】
実開平７−４４９８０号公報  （第１頁、図１）
【０００５】
【発明が解決しようとする課題】
しかしながら、上記従来技術では、一度セルフタイマ撮影が実行されると、撮影の成功または失敗に関わらず、設定された回数のセルフタイマ撮影が繰り返し実行されるため、必要以上の撮影が行われてしまうことがあった。また、設定した回数以上のセルフタイマ撮影をさらに行うには、撮影者がその都度デジタルカメラの設置位置まで戻り、デジタルカメラを直接操作する必要があった。
【０００６】
本発明は上記問題点を解決するためになされたもので、容易に再撮影を可能にすることができる撮像装置を提供することを目的とする。
【０００７】
【課題を解決するための手段】
上記目的を達成するために本発明の撮像装置は、所定時間経過後に撮影を実行する指示入力を行うための撮影指示手段と、音声データを取り込む音声取込手段と、前記撮影指示手段による指示入力によってなされた撮影の後でかつ、予め定めた音声データを前記音声取込手段が取り込んだときに、前記撮影指示手段における指示入力を再度行うように制御する制御手段と、を備えたことを特徴としている。
【０００８】
本発明の撮像装置は、撮影指示手段を備えており、所定時間経過後に撮影を実行するための指示入力を行う。撮影指示手段によって、指示入力がなされると、指示入力がなされてからの経過時間の計測が開始され、所定時間が経過すると、撮影が実行される。この所定時間は、例えば、ユーザが撮像装置の設置位置から撮影位置まで移動可能な時間である。指示入力によって撮影が実行された後、例えば一定時間内に音声手段によって音声データが取り込まれると、制御手段は、撮影指示手段が再度指示入力を行うように制御する。撮影指示手段が再度指示入力を行うと、指示入力がなされてから所定時間後に、撮影が再度実行される。
【０００９】
従って、指示入力による撮影実行後の音声データの取り込みによって、再度撮影を実行することができるので、容易に再撮影を行うことができる。
【００１０】
前記制御手段は、前記音声取込手段が取り込んだ音声データと予め記憶した前記指示入力を再度行うための音声データとを比較する比較手段を備え、前記音声取込手段が取り込んだ音声データと予め記憶した前記指示入力を再度行なうための音声データとが同一である場合に、前記指示入力を再度実行することができる。
【００１１】
音声取込手段は、指示入力を行うための音声データだけではなく、例えばノイズなどを含む様々な音声データを取り込む可能性がある。そこで、比較手段が、音声取込手段が取り込んだ音声データと予め記憶した指示入力を行うための音声データとを比較して、これらの音声データが同一の音声データであると判断した場合に、再度指示入力を行うので、音声データの取り込みにおける信頼性を向上することができる。
【００１２】
また、前記指示入力を再度行うための音声データを録音する録音手段を更に備えることができる。録音手段によって録音された音声データを、再度指示入力を行うための音声データとすることができるので、任意かつ同一の音声データを再利用することができる。
【００１３】
前記制御手段は、前記撮影指示手段による指示入力によってなされた撮影後に予め定めた音声データを検出する検出手段を更に備え、所定時間内に前記検出手段により検出されたときに、前記指示入力を再度実行することができる。
【００１４】
検出手段は、撮影指示手段による指示入力によって撮影が実行されると、撮影の実行後、所定時間の間、外部から音声データを取り込むことが可能となり、予め定めた音声データを検出する。このため、取り込む音声データを必要最小限に押さえることができ、効率よく音声データを取り込むことができる。
【００１５】
【発明の実施の形態】
本発明の撮像装置に係るデジタルカメラの一の実施の形態を図面に基づき説明する。
【００１６】
図１には、本実施の形態に係るデジタルカメラ１０の外観を背面側から見た斜視図を示した。
【００１７】
デジタルカメラ１０の筐体１２の正面には、被写体像を結像させるためのレンズ１４が設けられている。筐体１２の側面には、外部メモリ１６を装着可能なカードスロット１８が設けられている。外部メモリ１６には、撮影画像の画像データを記憶することができる。また、筐体１２の上面には、撮影を指示する際にユーザによって押圧操作されるレリーズスイッチ２０が設けられている。筐体１２の背面には、ＬＣＤ２４（液晶表示装置）が設けられている。このＬＣＤ２４には、後述するマイクによって入力された音声データの録音状態、各種メニュー、及びユーザに対する各種選択項目等を表示することができる。また、ＬＣＤ２４の近傍には、スイッチ３８、マイク４０、及びスピーカ４２が設けられている。
【００１８】
本実施の形態では、スイッチ３８として、レリーズスイッチ２０、電源スイッチ２６、実行ボタン２８、撮り直しボタン３０、録音ボタン３２、セルフタイマボタン３４、及び上下左右キー３６を含んだ構成を採用している。電源スイッチ２６は、ユーザがデジタルカメラ１０の各部への電源電力の供給／供給停止の切り換えを行うときに操作するためのものである。セルフタイマボタン３４は、ユーザによるレリーズスイッチ２０の押圧操作による撮像指示の入力から所定時間後に撮影（以下、セルフタイマ撮影という）を行なう撮影モード（以下、セルフタイマモードという）に切り替えるときに操作するためのものである。
【００１９】
撮り直しボタン３０は、セルフタイマ撮影の実行後、セルフタイマ撮影を再度実行するための動作音を示す音声データの入力によって、再度、セルフタイマ撮影を実行することが可能な撮影モード（以下、撮り直しモードという）に切り替えるときに、ユーザが操作するためのものである。
【００２０】
録音ボタン３２は、セルフタイマ撮影を再度実行するための動作音を示す音声データを予めデジタルカメラ１０に取り込むときに、ユーザが操作するためのものである。実行ボタン２８は、各種指示の実行開始をユーザが指示するときに操作するためのものである。上下左右キー３６は、ユーザがＬＣＤ２４に表示された各種メニューから任意のメニュー項目を選択する際に操作するためのものである。
【００２１】
マイク４０は、音声データを取り込むためのものであり、動作音を表す音声データ、及び後述するメモリ５６に格納された動作音を表す音声データを確認するための音声データを得るためのものである。スピーカ４２は、音声データを出力するためのものである。
【００２２】
なお、本実施の形態では、レリーズスイッチ２０、電源スイッチ２６、実行ボタン２８、撮り直しボタン３０、録音ボタン３２、セルフタイマボタン３４、及び上下左右キー３６は、それぞれ独立したスイッチとして設けた場合を説明するが、これらのスイッチを１つのスイッチで機能するようにしてもよい。この場合、例えば、ＬＣＤ２４に各種機能選択のための項目一覧を表示して、これらの表示された項目一覧を１つのスイッチで随時項目選択することによって、機能するようにすればよい。
【００２３】
図２には、本実施の形態に係るデジタルカメラ１０の主要構成をブロック図として示した。
【００２４】
デジタルカメラ１０は、ＣＣＤ（Ｃｈａｒｇｅ  Ｃｏｕｐｌｅｄ  Ｄｅｖｉｃｅ）５０を有している。このＣＣＤ５０は、レンズ１４により得られる被写体からの反射光を撮影画像を示すアナログ画像データ（以下、画像データという）に変換して出力するためのものである。また、デジタルカメラ１０は、ＣＰＵ６２、ＲＯＭ５２、及びＲＡＭ５４からなるマイクロコンピュータを含んで構成される。これらのデバイスは、データやコマンドの授受が可能なようにバス６０で接続されている。また、デジタルカメラ１０には、メモリ５６、及びタイマ６４が設けられている。メモリ５６及びタイマ６４には、バス６０が接続されている。
【００２５】
上記ＲＯＭ５２は、各種デバイスを制御するためのメイン制御プログラム等の各種プログラムや所定データ等を記憶するためのものである。ＲＡＭ５４は、主として各種プログラムによって生成されるデータを記憶するためのものである。メモリ５６は、各種データを記憶するためのものであり、その中にセルフタイマ撮影を再度実行するための動作音を示す音声データ、及びタイマ６４が作動する設定時間を予め記憶する。なお、メモリ５６に予め記憶される設定時間は、ユーザによるスイッチ３８の操作によって任意に設定可能としてもよい。また、このタイマ６４が作動する設定時間として、レリーズスイッチ２０の押圧操作後に、ユーザがカメラ設置位置から撮影位置まで移動可能な時間が、予め設定されているものとする。
【００２６】
タイマ６４は、経過時間を計測するためのものであり、セルフタイマ撮影における撮影指示の入力から経過した時間を計測する。なお、タイマ６４は、ＣＰＵ６２に内蔵してもよい。
【００２７】
また、バス６０には、Ｉ／Ｏ６６が接続されている。このＩ／Ｏ６６には上記各種スイッチから構成されるスイッチ３８、スピーカ４２、ＬＣＤ２４、及びマイク４０が接続されている。また、バス６０には、インターフェース（以下、Ｉ／Ｆという）５８が接続されている。Ｉ／Ｆ５８は、撮影によって得られた画像データを外部メモリ１６へ出力するためのものである。外部メモリ１６は、カードスロット１８に装着されることによってＩ／Ｆ５８に接続可能である。外部メモリ１６の一例としては、ＩＣカードなどのメモリ媒体がある。
【００２８】
次に、上記実施の形態に係るデジタルカメラ１０の作用を説明する。
【００２９】
図３には、ＣＰＵ６２で実行される処理ルーチンを示した。電源スイッチ２６によりデジタルカメラ１０に電源が投入されるとステップ１００に進み、ステップ１００では、スイッチ３８の状態を確認する。スイッチ３８の状態の確認は、メモリ５６に記憶されたスイッチ３８の状態を表すデータを読み取ることによって可能である。スイッチ３８の状態としては、レリーズスイッチ２０がユーザによって押圧操作された状態、セルフタイマボタン３４がユーザによって押圧操作された状態、及びセルフタイマボタン３４が押圧操作された後に取り直しボタン３０が押圧操作された状態がある。これらの状態を表すデータは、電源が投入された後に、各スイッチがユーザによって押圧操作されることによって入力される。入力されたデータは、スイッチ３８の状態を表すデータとしてメモリ５６に記憶される。このメモリ５６に記憶されたスイッチ３８の状態を表すデータを確認することによって、スイッチ３８の状態を確認することができる。
【００３０】
次のステップ１０２では、セルフタイマ指示がなされたか否かを判断する。ステップ１０２の判断は、メモリ５６に記憶されたスイッチ３８の状態を表すデータが、セルフタイマボタン３４がユーザによって押圧操作された状態を示すデータであるか否かを判断することによって可能である。
【００３１】
ステップ１０２で肯定されると、ステップ１３２へ進み、否定されるとステップ１０４へ進み、自動撮り直し指示がなされたか否かを判断する。ステップ１０４の判断は、メモリ５６に記憶されたスイッチ３８の状態を表すデータが、セルフタイマボタン３４が押圧操作された後に取り直しボタン３０が押圧操作された状態を表すデータであるか否かを判断することによって可能である。ステップ１０４で否定されると、ステップ１５２へ進み、肯定されるとステップ１０６へ進む。
【００３２】
ステップ１０６では、メモリ５６に格納された、音声データを読み取る。ステップ１０６で読取った音声データは、セルフタイマ撮影の実行後、セルフタイマ撮影を再度実行するための動作音を示すものである。次のステップ１０８では、読み取った音声データに対応文字データの文字をＬＣＤ２４に表示する。例えば音声データに文字データを関連付けたり、音声データを文字データに変換したりすることで、文字データを得ることができる。これによって、ユーザは、セルフタイマ撮影を再度実行するための動作音を視覚的に確認することができる。なお、ステップ１０６で読み取った音声データは、スピーカ４２から出力されるようにしてもよい。また、本実施の形態では、動作音の音声データとして一種類の音声データが予めメモリ５６に格納されているものとして説明するが、複数種類の音声データを、動作音の音声データとしてメモリ５６に格納してもよい。この場合、複数の音声データを各々文字データに変換してＬＣＤ２４に表示して、ユーザのスイッチ３８による操作指示により、動作音として使用する音声データを選択するようにすればよい。
【００３３】
このように、ユーザは、メモリ５６に格納された動作音を表す音声データを確認することができるので、ユーザがメモリ５６に格納済みの音声データを忘れた場合であっても、セルフタイマ撮影を再度実行するための動作音の音声データを確認することができる。
【００３４】
次のステップ１１０では、メモリ５６に格納されている音声データを動作音として使用するか否かを判断する。ステップ１１０の判断は、ユーザによる実行ボタン２８の押圧操作によって出力される信号の受信によって判断することができる。
【００３５】
ステップ１１０で否定された場合、ステップ１１２へ進み、録音指示がなされるまで否定判断を繰り返し、肯定されるとステップ１１４へ進む。ステップ１１０の判断は、ユーザによる録音ボタン３２の押圧操作によって出力される信号の受信によって判断することができる。例えば、ＬＣＤ２４に、動作音の録音指示を促す項目を表示してユーザに対して録音ボタン３２の入力を促す。そして、録音ボタン３２がユーザによって押圧操作されたときに出力される信号によって判断すればよい。
【００３６】
次にステップ１１４では、マイク４０を介して音声データを取り込む。例えば、ＬＣＤ２４に動作音の入力を促す項目を表示して、ユーザに対して音声の入力を促し、マイク４０を介して音声が入力されるまで待機する。そして、ユーザによって音声が入力されると、マイク４０を介して音声データを取り込むことができる。これによって、セルフタイマ撮影を再度実行するための動作音を示す音声データを得ることができる。
【００３７】
次にステップ１１６では、メモリ５６に格納されている動作音の音声データをステップ１１４で取り込んだ音声データに書き換えることによって、ステップ１１４で取り込んだ音声データを動作音としてメモリ５６に格納する。
【００３８】
次にステップ１１８では、ステップ１１６でメモリ５６に格納した動作音を表す音声データの取り込み状態（録音状態）をＬＣＤ２４に表示する。取り込み状態としては、例えば、録音良好、及び録音不良などの音声データの取り込み結果を表す情報がある。これによって、ユーザは、ステップ１１４で取り込んだ音声データが正常に取り込まれたか否かを確認することができる。次のステップ１２０では、動作音を表す音声データの取り込み状態が良好であったか否かを判断し、肯定された場合はステップ１２２へ進む。ステップ１２０で、否定された場合、ＬＣＤ２４に再度の動作音の取り込みを促す情報を表示し、ステップ１１２へ戻る。このため、メモリ５６に格納された動作音を表す音声データを、ユーザが任意に更新することができる。
【００３９】
次に、ステップ１２２では、メモリ５６に格納された動作音を表す音声データを検証するために、検証のための音声データをマイク４０を介して取り込む。動作音を検証するための音声データの取り込みは、まず、メモリ５６に格納した動作音の音声データを文字データに変換して、ＬＣＤ２４に動作音を表す文字を表示する。次に、この動作音を検証するために、動作音を表す音声の入力をユーザに対して促す項目を表示する。そして、ユーザによって音声データがマイク４０を介して入力されることによって、動作音を検証するための音声データを取り込むことができる。
【００４０】
次のステップ１２４では、ステップ１２２で取り込んだ動作音を検証するための音声データとメモリ５６に格納された動作音を表す音声データとを比較し、次のステップ１２６において、ステップ１２２で取り込んだ音声データとメモリ５６に格納された動作音を表す音声データとが同一の音声データであると認識できるか否かを判断する。
【００４１】
ステップ１２６で肯定されると、ステップ１２８へ進み、同一音声であることが認識されたことを表す情報をＬＣＤ２４に表示してステップ１３０へ進む。一方、ステップ１２６で否定されると、ステップ１２７へ進み、動作音を検証するための音声データの再入力をユーザに対して促す情報を表示して、ステップ１２２へ戻る。なお、ステップ１２７では、上記再入力を促す情報に加えて、ＬＣＤ２４に、動作音を検証するための音声データが、メモリ５６に格納された動作音を表す音声データと同一音声であると認識することができないことを表す情報を表示するようにしてもよい。
【００４２】
このため、ユーザは、メモリ５６に格納した動作音の音声データを検証することができる。
【００４３】
次にステップ１３０では撮影指示がなされるまで否定判断を繰り返し、肯定されるとステップ１３２へ進む。ステップ１３０の判断は、ユーザによるレリーズスイッチ２０の押圧操作によって出力される撮影指示信号の受信によって判断することができる。
【００４４】
次のステップ１３２では、タイマ６４をリセットし、上記ステップ１３０で撮像指示信号が入力されてからの経過時間の計測を開始する。次のステップ１３４では、タイマ６４による計測結果により、メモリ５６に予め設定した設定時間を経過したと判断するまで否定判定を繰り返し、肯定されると、ステップ１３６へ進む。
【００４５】
ステップ１３６では、撮影処理が行われる。この撮影処理は、被写体を撮影するときにおけるＣＣＤ５０からの図示を省略した焦点調整、ズーム、レンズ等による画角調整、そして露光調整などのデジタルカメラ１０の図示しない各種駆動部を駆動して、撮影画像を得るものである。この撮影処理が終了すると、ステップ１３８において、撮影画像の画像データを外部メモリ１６へ記憶して、ステップ１４０へ進む。
【００４６】
なお、上記ステップ１３２乃至ステップ１３６の処理は、撮影指示の入力から所定時間後に撮影を行うセルフタイマ撮影に相当する。
【００４７】
ステップ１４０では、メモリ５６に記憶されたスイッチの状態を表すデータがセルフタイマボタン３４が押圧操作された後に取り直しボタン３０が押圧操作された状態を表すデータであるかを判断し、否定されると、メモリ５６に記憶されたスイッチの状態を示すデータを消去して、本ルーチンを終了し、肯定されるとステップ１４２に進む。
【００４８】
次のステップ１４２では、タイマ６４をリセットし、経過時間の計測を開始する。次のステップ１４４では、マイク４０を介して音声データを取り込んだか否かを判断する。ステップ１４４で肯定されると、ステップ１４６へ進み、ステップ１４４で取り込んだ音声データと、メモリ５６に格納した動作音を表す音声データとを比較する。次のステップ１４８では、ステップ１４４で取り込んだ音声データとメモリ５６に格納した動作音を表す音声データとを同一であると認識できるか否かを判断する。
【００４９】
ステップ１４８で肯定されると、ステップ１３２へ戻り、再度セルフタイマ撮影を実行し、ステップ１４８で否定されると、ステップ１５０へ進む。次のステップ１５０では、タイマ６４による計測結果により、メモリ５６に予め格納した設定時間を経過したか否かを判断し、否定されるとステップ１４４へ戻り、肯定されると、メモリ５６に記憶されたスイッチの状態を示すデータを消去して、本ルーチンを終了する。
【００５０】
一方、ステップ１０４で否定された場合、ステップ１５２へ進み、撮影指示がなされたか否かを判断する。ステップ１５２の判断は、上記ステップ１００で確認したスイッチの状態を表すデータが、レリーズスイッチ２０が押圧操作された状態を表すデータであるか否かを判断することによって可能である。ステップ１５２で否定されると、メモリ５６に記憶されたスイッチの状態を示すデータを消去して本ルーチンを終了し、肯定されると、ステップ１５４へ進む。ステップ１５４では、ステップ１３６と同様の処理によって撮影処理が実行される。次にステップ１５６では、撮影処理によって得られた撮影画像の画像データを外部メモリ１６へ格納した後に、メモリ５６に記憶されたスイッチの状態を示すデータを消去して、本ルーチンを終了する。
【００５１】
以上説明したように、本実施の形態では、セルフタイマ撮影が行われた後に、セルフタイマ撮影を再度実行するための動作音を示す音声データが入力されると、再度セルフタイマ撮影を行うことができる。従って、簡単にセルフタイマ撮影を繰り返し実行することができる。
【００５２】
なお、セルフタイマ撮影処理が繰り返し実行されると、撮影が実行される度に外部メモリ１６に画像データが格納されるため、外部メモリ１６の容量不足が発生する場合がある。この場合、例えば、外部メモリ１６が容量不足となり、更なる画像データの格納ができなくなると、撮影によって得られた画像データを、メモリ５６に格納する。そして、セルフタイマ撮影処理終了後、メモリ５６に格納された画像データの外部メモリ１６への上書き、または新たに装着された外部メモリ１６への格納指示を示す項目をＬＣＤ２４に表示して、上書きまたは格納指示をユーザに対して促す。そしてユーザのスイッチ３８の操作指示による上書き指示または格納指示の入力によって、外部メモリ１６へ画像データを上書きまたは新たに装着した外部メモリ１６へ格納するようにすればよい。
【００５３】
なお、上記ステップ１３０乃至ステップ１３６の処理が本発明の撮像装置の撮影手段に相当し、ステップ１４４の処理が音声取込手段の機能に相当する。また、ステップ１４６乃至１４８の処理が制御手段の機能に相当する。また、上記ステップ１４４の処理が検知手段の機能に相当し、ステップ１１２乃至ステップ１２０の処理が録音手段の機能に相当する。
【００５４】
また、本発明は、上記の実施の形態に限られるものではない。例えば、ステップ１０８、ステップ１２７、ステップ１２８、及びステップ１１８では、比較結果や録音状態を表すデータをＬＣＤ２４に表示するものとして説明したが、これらのデータをスピーカ４２を介して音声データとして出力するようにしてもよい。
【００５５】
また、ステップ１２２乃至ステップ１２８で行われる、メモリ５６に格納された動作音の音声データの検証処理を行わずに、ステップ１３０へ進むようにしてもよい。
【００５６】
また、上記実施の形態では、再撮影用の指示のための音声データの収集（録音）を、撮像装置近傍で行う場合を説明した。ところで、セルフタイマ撮影では、被写体として撮影されるユーザによる再撮影指示を、遠隔地から行う場合が多い。そこで、ステップ１４４で取り込んだ音声をステップ１１４で取り込んだ音声に見合うように増幅したり、ノイズ除去したりすることが好ましい。また、再撮影指示の録音を、撮影者が存在する撮影場所である遠隔地で行うようにしてもよい。
【００５７】
【発明の効果】
以上説明したように、本発明の撮像装置によれば、セルフタイマ撮影が行われた後に、セルフタイマ撮影を再度実行するための動作音を示す音声データが入力されると、再度セルフタイマ撮影を行うことができるので、容易に撮影を繰り返し実行することができる、という効果が得られる。
【図面の簡単な説明】
【図１】本発明の実施の形態に係るデジタルカメラの外観を背面側から見た斜視図である。
【図２】本実施の形態に係るデジタルカメラの主要構成を示すブロック図である。
【図３】本発明の実施の形態に係るデジタルカメラにおける処理の流れを示すフローチャートである。
【符号の説明】
１０  デジタルカメラ
【図１】
2004153741.tif 000003
【図２】
2004153741.tif 000004
【図３】
2004153741.tif 000005